(57)【要約】【課題】本発明は、簡単な構成によりガイドレールの撓みを十分に抑えることができるエレベータのテールコード支持装置を得ることを目的とするものである。【解決手段】第１の回動軸９には、上部取付腕１２が回動自在に支持されている。上部取付腕１２の一端部には、接続部材１３を介して第１のテールコード１４の一端部が接続されている。第２の回動軸１１には、下部取付腕１５が回動自在に支持されている。下部取付腕１５の一端部には、接続部材１６を介して第２のテールコード１７の一端部が接続されている。上部取付腕１２の他端部と下部取付腕１５の一端部との間には、連結部材（連結ロッド）１８が連結されている。【選択図】図１
2010089931.tif 000002
【特許請求の範囲】
【請求項１】
ガイドレールに取り付けられる第１の支持部材、
上記第１の支持部材の下方で上記ガイドレールに取り付けられる第２の支持部材、
上記第１の支持部材に回動自在に支持され、上記ガイドレールの幅方向の一側で第１のテールコードが接続される上部取付腕、
上記第２の支持部材に回動自在に支持され、上記ガイドレールの幅方向の一側で第２のテールコードが接続される下部取付腕、及び
上記ガイドレールの幅方向の他側で上記上部取付腕に連結され、かつ上記ガイドレールの幅方向の一側で上記下部取付腕に連結される連結部材
を備えていることを特徴とするエレベータのテールコード支持装置。
【請求項２】
上記第１及び第２の支持部材は、上記ガイドレールのレールブラケットへの接続部近傍でそれぞれ上記ガイドレールに取り付けられることを特徴とする請求項１に記載のエレベータのテールコード支持装置。
【請求項３】
上記第１及び第２の支持部材には、上記ガイドレールの背面に直角かつ水平な回動軸がそれぞれ設けられており、
上記上部取付腕及び上記下部取付腕は、上記回動軸に回動自在に支持されていることを特徴とする請求項１又は請求項２に記載のエレベータのテールコード支持装置。
【請求項４】
上記上部取付腕及び上記下部取付腕の少なくともいずれか一方に対する上記連結部材の連結位置が、上記ガイドレールの幅方向に平行な方向に移動可能になっていることを特徴とする請求項１から請求項３までのいずれか１項に記載のエレベータのテールコード支持装置。
【請求項５】
ガイドレールに取り付けられる支持部材、及び
上記支持部材に回動自在に支持され、上記ガイドレールの幅方向の一側で第１のテールコードが接続されるとともに、上記ガイドレールの幅方向の他側で第２のテールコードが接続される取付腕
を備えていることを特徴とするエレベータのテールコード支持装置。
【発明の詳細な説明】
【技術分野】
【０００１】
この発明は、かご及び釣合おもり等の昇降体の昇降を案内するガイドレールに取り付けられ、かごと制御盤との間に接続されたテールコード（移動ケーブル）を支持するエレベータのテールコード支持装置に関するものである。
【背景技術】
【０００２】
従来のエレベータのテールコード支持装置では、テールコードを支持する支持アーム部材がガイドレールの背面に固定されている。また、テールコードの重量によるガイドレールの変形を防止するために、支持アーム部材の固定位置付近で、ガイドレールの背面に平板状のバッキング部材が固定されている（例えば、特許文献１参照）。
【０００３】
【特許文献１】特開２０００−２３８９７７号公報
【発明の開示】
【発明が解決しようとする課題】
【０００４】
上記のような従来のテールコード支持装置では、バッキング部材によりガイドレールの変形を防止しているが、かごの速度が速い場合は、ガイドレールの僅かな撓みでもかごの走行に影響するので、バッキング部材の断面２次モーメントを大きくしたり、バッキング部材のガイドレールへの固定箇所を増やしたりする必要があり、材料コスト及び据付コストが高くなる。
【０００５】
この発明は、上記のような課題を解決するためになされたものであり、簡単な構成によりガイドレールの撓みを十分に抑えることができるエレベータのテールコード支持装置を得ることを目的とする。
【課題を解決するための手段】
【０００６】
この発明に係るエレベータのテールコード支持装置は、ガイドレールに取り付けられる第１の支持部材、第１の支持部材の下方でガイドレールに取り付けられる第２の支持部材、第１の支持部材に回動自在に支持され、ガイドレールの幅方向の一側で第１のテールコードが接続される上部取付腕、第２の支持部材に回動自在に支持され、ガイドレールの幅方向の一側で第２のテールコードが接続される下部取付腕、及びガイドレールの幅方向の他側で上部取付腕に連結され、かつガイドレールの幅方向の一側で上記下部取付腕に連結される連結部材を備えている。
【発明の効果】
【０００７】
この発明のエレベータのテールコード支持装置は、上部取付腕及び下部取付腕が回動自在になっており、また第２のテールコードにより下部取付腕に作用する回転力が連結部材を介して上部取付腕に伝達され、第１のテールコードにより上部取付腕に作用する回転力が打ち消されるので、簡単な構成により、ガイドレールに作用する曲げモーメントを低減し、ガイドレールの撓みを十分に抑えることができる。
【発明を実施するための最良の形態】
【０００８】
以下、この発明を実施するための最良の形態について、図面を参照して説明する。
実施の形態１．
図１はこの発明の実施の形態１によるエレベータのテールコード支持装置を示す正面図、図２は図１のＩＩ−ＩＩ線に沿う断面図、図３は図１のＩＩＩ−ＩＩＩ線に沿う断面図である。
【０００９】
図において、昇降路内には、かご及び釣合おもり等の昇降体の昇降を案内するガイドレール１が設置されている。ガイドレール１は、第１及び第２のレールブラケット２，３に固定されている。第１及び第２のレールブラケット２，３は、ガイドレール１の長手方向（上下方向）に互いに間隔をおいて昇降路壁に固定されている。第２のレールブラケット３は、第１のレールブラケット２の下方に配置されている。昇降路壁には、第１及び第２のレールブラケット２，３以外にも複数のレールブラケットが設けられているが、ここでは第１及び第２のレールブラケット２，３のみを示している。
【００１０】
第１のレールブラケット２には、第１のレールブラケット２との間にガイドレール１を挟持する２個（１対）のレールクリップ４ａ，４ｂが設けられている。第２のレールブラケット３には、第２のレールブラケット３との間にガイドレール１を挟持する２個（１対）のレールクリップ５ａ，５ｂが設けられている。
【００１１】
ガイドレール１には、平板状の第１及び第２の支持部材６，７が固定されている。第１の支持部材６は、第１のレールブラケット２の近傍かつ上方でガイドレール１の背面に接合されている。即ち、第１の支持部材６は、第１のレールブラケット２の上側に隣接して設けられている。第１の支持部材６には、第１の支持部材６との間にガイドレール１を挟持する４個（２対）のレールクリップ８ａ〜８ｄが設けられている。第１の支持部材６の背面には、ガイドレール１の背面に直角かつ水平な第１の回動軸（揺動軸）９が設けられている。
【００１２】
第２の支持部材７は、第２のレールブラケット３の近傍かつ上方でガイドレール１の背面に接合されている。即ち、第２の支持部材７は、第２のレールブラケット３の上側に隣接して設けられている。第２の支持部材７には、第２の支持部材７との間にガイドレール１を挟持する４個（２対）のレールクリップ１０ａ〜１０ｄが設けられている。第２の支持部材７の背面には、ガイドレール１の背面に直角かつ水平な第２の回動軸（揺動軸）１１が設けられている。
【００１３】
第１の回動軸９には、上部取付腕１２が回動自在（揺動自在）に支持されている。上部取付腕１２の一端部には、接続部材１３を介して第１のテールコード１４の一端部が接続されている。即ち、第１のテールコード１４は、ガイドレール１の幅方向（図１の左右方向）の一側で上部取付腕１２に接続されている。
【００１４】
第２の回動軸１１には、下部取付腕１５が回動自在（揺動自在）に支持されている。下部取付腕１５の一端部には、接続部材１６を介して第２のテールコード１７の一端部が接続されている。即ち、第２のテールコード１７は、ガイドレール１の幅方向の一側で下部取付腕１５に接続されている。
【００１５】
上部取付腕１２の他端部と下部取付腕１５の一端部との間には、連結部材（連結ロッド）１８が連結されている。連結部材１８の上端部は、上部取付腕１２に回動自在に連結されている。また、連結部材１８の下端部は、下部取付腕１５に回動自在に連結されている。連結部材１８は、ガイドレール１の幅方向の一側で上部取付腕１２に連結され、他側で下部取付腕１５に連結されている。このため、連結部材１８は、正面から見て、ガイドレール１に対して斜めに交差するように配置されている。
【００１６】
このようなエレベータのテールコード支持装置では、上部取付腕１２及び下部取付腕１５がガイドレール１に対して回動自在であり、また下部取付腕１５に作用する回転力が連結部材１８を介して上部取付腕１２に伝達され、上部取付腕１２に作用する回転力が打ち消されるので、ガイドレール１にかかる荷重はせん断荷重となり、簡単な構成により、ガイドレール１に作用する曲げモーメントを低減し、ガイドレール１の撓みを十分に抑えることができる。
【００１７】
また、バッキング部材を用いることなくガイドレール１の撓みを抑えることができるので、バッキング部材を用いる場合に比べて、材料費を安価にすることができ、また、部材の軽量化により据付作業の手間を軽減することができる。
【００１８】
さらに、第１及び第２の支持部材６，７は、ガイドレール１のレールブラケット２への接続部近傍でそれぞれガイドレール１に取り付けられているので、ガイドレール１の撓みをより低減することができる。
【００１９】
実施の形態２．
次に、図４はこの発明の実施の形態２によるエレベータのテールコード支持装置の要部を示す正面図である。この例では、上部取付腕１２に連結部材１８を連結するための複数の連結孔１２ａが設けられている。連結孔１２ａは、ガイドレール１の幅方向に平行な方向、即ち上部取付腕１２の長手方向に沿って互いに間隔をおいて設けられている。連結部材１８は、連結孔１２ａの１つに選択的に連結されている。即ち、上部取付腕１２に対する連結部材１８の連結位置は、ガイドレール１の幅方向に平行な方向に移動可能になっている。他の構成は、実施の形態１と同様である。
【００２０】
このようなテールコード支持装置では、第１及び第２のテールコード１４，１７の単位重量が異なっていても、連結部材１８の上端部と第１の回動軸９との間の距離を調整することにより、第１及び第２のテールコード１４，１７の吊り荷重をより確実に相殺することができる。
【００２１】
なお、上記実施の形態２では、上部取付腕１２に対する連結部材１８の連結位置のみを移動可能としたが、下部取付腕１５に対する連結部材１８の連結位置、上部取付腕１２に対する第１のテールコード１４の接続位置、下部取付腕１５に対する第２のテールコード１７の接続位置等についても、ガイドレール１の幅方向に平行な方向に移動可能としてもよい。
また、回動軸９，１１に対する上部取付腕１２及び下部取付腕１５の連結位置を、ガイドレール１の幅方向に平行な方向に移動可能としてもよい。
さらに、連結部材１８の長さを調節可能としてもよい。
【００２２】
さらにまた、実施の形態１、２では、２本のテールコード１４，１７を示したが、テールコードは３本以上であってもよい。この場合、それらのテールコードは上部取付腕１２及び下部取付腕１５に適宜振り分けて接続すればよい。
さらに、連結部材１８は可撓性のロープ状のものでもよい。
【００２３】
ここで、図５は実施の形態１、２のテールコード支持装置が適用されたエレベータの一例を示す平面図である。図において、かご２１は、第１及び第２のかごガイドレール２２ａ，２２ｂに沿って昇降路２０内を昇降される。釣合おもり２３は、第１及び第２の釣合おもりガイドレール２４ａ，２４ｂに沿って昇降路２０内を昇降される。
【００２４】
上部及び下部取付腕１２，１５は、第１及び第２の支持部材６，７を介して第１のかごガイドレール２２ａに回動自在に支持されている。第１及び第２のテールコード１４，１７は、昇降路２０内の第１のかごガイドレール２２ａよりも前側で上部及び下部取付腕１２，１５にそれぞれ接続されている。
【００２５】
このように、真上から見て、第１のかごガイドレール２２ａの一側に第１及び第２のテールコード１４，１７が配置される場合には、実施の形態１、２のテールコード支持装置の構成が有効である。
【００２６】
実施の形態３．
次に、図６はこの発明の実施の形態３によるエレベータのテールコード支持装置を示す正面図である。実施の形態３は、取付腕１２の一端部に第１のテールコード１４を接続し、他端部に第２のテールコード１７を接続したものであり、第２の支持部材７、下部取付腕１５及び連結部材１８は省略されている。
【００２７】
具体的には、第２のテールコード１７の一端部は、取付腕１２の他端部に接続部材１６を介して接続されている。即ち、第２のテールコード１７は、ガイドレール１の幅方向（図６の左右方向）の他側で取付腕１２に接続されている。他の構成は、実施の形態１と同様である。
【００２８】
このようなエレベータのテールコード支持装置では、取付腕１２がガイドレール１に対して回動自在であり、第１及び第２のテールコード１４，１７により取付腕１２に作用する回転力が互いに打ち消し合うので、ガイドレール１にかかる荷重はせん断荷重となり、簡単な構成により、ガイドレール１に作用する曲げモーメントを低減し、ガイドレール１の撓みを十分に抑えることができる。
【００２９】
なお、実施の形態３の構成においても、取付腕１２に対する第１及び第２のテールコード１４，１７の接続位置や回動軸９に対する取付腕１２の連結位置を、ガイドレール１の幅方向に平行な方向に移動可能としてもよい。
【図面の簡単な説明】
【００３０】
【図１】この発明の実施の形態１によるエレベータのテールコード支持装置を示す正面図である。
【図２】図１のＩＩ−ＩＩ線に沿う断面図である。
【図３】図１のＩＩＩ−ＩＩＩ線に沿う断面図である。
【図４】この発明の実施の形態２によるエレベータのテールコード支持装置の要部を示す正面図である。
【図５】実施の形態１、２のテールコード支持装置が適用されたエレベータの一例を示す平面図である。
【図６】この発明の実施の形態３によるエレベータのテールコード支持装置を示す正面図である。
【符号の説明】
【００３１】
１  ガイドレール、２  第１のレールブラケット、３  第２のレールブラケット、６  第１の支持部材、７  第２の支持部材、９  第１の回動軸、１１  第２の回動軸、１２  上部取付腕、１４  第１のテールコード、１５  下部取付腕、１７  第２のテールコード、１８  連結部材。
【図１】
2010089931.tif 000003
【図２】
2010089931.tif 000004
【図３】
2010089931.tif 000005
【図４】
2010089931.tif 000006
【図５】
2010089931.tif 000007
【図６】
2010089931.tif 000008